(57)【特許請求の範囲】
【請求項１】
商品収納コラムを収納庫内に前後複数列設けると共に、前記収納庫の上部に左右に渡って取り付けられた支持レールに、前列の前記商品収納コラムを左右方向移動自在に吊下して成る自動販売機において、前記前列の商品収納コラムの上端左右両側に設けられ、前記支持レール上を左右方向に転動する複数のローラと、前記支持レールに形成され、前記前列の商品収納コラムが所定の待機位置から移動する側と反対側のローラが、当該商品収納コラムが移動した位置にて少許落ち込む落込部とを備え、前列の商品収納コラムが所定の待機位置から移動する側には左右に近接して少なくとも二個のローラを設けたことを特徴とする自動販売機。
【請求項２】
商品収納コラムを収納庫内に前後複数列設けると共に、前記収納庫の上部に左右に渡って取り付けられた支持レールに、前列の前記商品収納コラムを左右方向移動自在に吊下して成る自動販売機において、前記前列の商品収納コラムの上端左右両側に設けられ、前記支持レール上を左右方向に転動する複数のローラと、前記支持レールに形成され、前記前列の商品収納コラムが所定の待機位置から移動する側と反対側のローラが、当該商品収納コラムが移動した位置にて少許落ち込む落込部とを備え、前列の商品収納コラムが所定の待機位置から移動する側のローラは大径と成すと共に、反対側のローラは小径としたことを特徴とする自動販売機。
【請求項３】
商品収納コラムを収納庫内に前後複数列設けると共に、前記収納庫の上部に左右に渡って取り付けられた支持レールに、前列の前記商品収納コラムを左右方向移動自在に吊下して成る自動販売機において、前記前列の商品収納コラムの上端左右両側に設けられ、前記支持レール上を左右方向に転動する複数のローラと、前記支持レールに形成され、前記前列の商品収納コラムが所定の待機位置から移動する側と反対側のローラが、当該商品収納コラムが移動した位置にて少許落ち込む落込部とを備え、落込部を支持レールよりも狭幅と成すと共に、前列の商品収納コラムが所定の待機位置から移動する側のローラを前記落込部よりも幅広としたことを特徴とする自動販売機。
【請求項４】
商品収納コラムを収納庫内に前後複数列設けると共に、前記収納庫の上部に左右に渡って取り付けられた支持レールに、前列の前記商品収納コラムを左右方向移動自在に吊下して成る自動販売機において、前記前列の商品収納コラムの上端左右両側に設けられ、前記支持レール上を左右方向に転動する複数のローラと、前記支持レールに形成され、前記前列の商品収納コラムが所定の待機位置から移動する側と反対側のローラが、当該商品収納コラムが移動した位置にて少許落ち込む落込部とを備え、支持レールを前後のレール部より構成し、左右両側のローラは前記各レール部上をそれぞれ転動させると共に、前列の商品収納コラムが所定の待機位置から移動する側とは反対側に位置するローラが転動するレール部に、落込部を形成したことを特徴とする自動販売機。
【発明の詳細な説明】
【０００１】
【発明の属する技術分野】
本発明は、収納庫内に商品収納コラムを前後複数列設けて成る自動販売機に関するものである。
【０００２】
【従来の技術】
従来よりこの種自動販売機においては、商品収納量の拡大及び多品種販売の実現を目的として、例えば特公平６−８２４２９号公報（Ｇ０７Ｆ１１／１８）に示される如く、その収納庫内に商品収納コラムを左右及び前後複数列設ける構成が採られている。
【０００３】
この場合、後列の商品収納コラムは通常収納庫内の左右略全幅に渡って取り付けられるが、前列の商品収納コラムは後列の商品収納コラムへの商品充填を可能とするため、例えば左右二組に分割され、一方は回動して手前側に引き出し自在と成すと共に、他方は左右方向に移動自在に吊下し、後列の商品収納コラムへの商品補充時には、これら前列の商品収納コラムを所定の待機位置から移動させ、後列の商品収納コラム前方を開放する構成とされていた。
【０００４】
【発明が解決しようとする課題】
しかしながら、この種商品収納コラムには電源用・制御用の複数のリード線（以下、ハーネスと称す。）が接続されており、また、自動販売機自体も正確に水平設置されるとは限らないため、前列の商品収納コラム（前記他方の商品収納コラム）を移動させても、微小な傾斜やハーネスの張力により元の待機位置に引き戻され、後列の商品収納コラムへの商品充填を阻害する問題が生じていた。
【０００５】
また、これを解消するために、前列の商品収納コラムを移動した位置に保持するロック機構やマグネットキャッチャーを取り付けると、今度は部品点数の増大やコストの高騰を引き起こす問題が生じる。
本発明は、係る従来の技術的課題を解決するために成されたものであり、自動販売機の収納庫内に設けた前列の商品収納コラムを円滑に移動させることができ、且つ、待機位置から移動した位置に保持することができる構造を安価に提供することを目的とするものである。
【０００６】
【課題を解決するための手段】
請求項１の発明の自動販売機は、商品収納コラムを収納庫内に前後複数列設けると共に、収納庫の上部に左右に渡って取り付けられた支持レールに、前列の商品収納コラムを左右方向移動自在に吊下して成るものであって、前列の商品収納コラムの上端左右両側に設けられ、支持レール上を左右方向に転動する複数のローラと、支持レールに形成され、、前記前列の商品収納コラムが所定の待機位置から移動する側と反対側のローラが、当該商品収納コラムが移動した位置にて少許落ち込む落込部とを備え、前列の商品収納コラムが所定の待機位置から移動する側には左右に近接して少なくとも二個のローラを設けたものである。
【０００７】
請求項１の発明によれば、前列の商品収納コラムの上端左右両側に、支持レール上を左右方向に転動する複数のローラを設けると共に、支持レールには落込部を形成し、前列の商品収納コラムが所定の待機位置から移動する側とは反対側のローラは、当該商品収納コラムが移動した位置にて落込部に少許落ち込むように構成したので、前列の商品収納コラムを待機位置から移動させた際には、落込部とローラとの係合によって当該移動した位置に保持されるようになる。これによって、後列の商品収納コラムへの商品充填に支障を来すこと無く、充填作業を円滑に行えるようになると共に、移動した位置から待機位置に戻す際には、商品収納コラムに加えた力が落ち込んでいるローラを引き出す方向に作用することになるので、商品収納コラムの移動を円滑に行うことができるようになる。また、支持レールに落込部を形成することにより実現できるので、生産コストの増大も最小限に抑えられる。
さらに、これに加えて前列の商品収納コラムが待機位置から移動する側には、左右に近接して少なくとも二個のローラを設けたので、待機位置から移動する間に当該移動する側のローラが落込部に落ち込むことが無くなる。これにより、商品収納コラムの移動を総じて円滑に行うことができるようになるものである。
【０００８】
請求項２の発明の自動販売機は、商品収納コラムを収納庫内に前後複数列設けると共に、前記収納庫の上部に左右に渡って取り付けられた支持レールに、前列の前記商品収納コラムを左右方向移動自在に吊下して成る自動販売機において、前記前列の商品収納コラムの上端左右両側に設けられ、前記支持レール上を左右方向に転動する複数のローラと、前記支持レールに形成され、前記前列の商品収納コラムが所定の待機位置から移動する側と反対側のローラが、当該商品収納コラムが移動した位置にて少許落ち込む落込部とを備え、前列の商品収納コラムが所定の待機位置から移動する側のローラは大径と成すと共に、反対側のローラは小径としたものである。
【０００９】
請求項２の発明によれば、請求項１の発明と同様に、後列の商品収納コラムへの商品充填に支障を来すこと無く、充填作業を円滑に行えるようになり、前列商品収納コラムが移動した位置から待機位置に戻る際の移動を円滑に行うことができるようになり、生産コストの増大も最小限に抑えられる。
これに加えて、前列の商品収納コラムが所定の待機位置から移動する側のローラは大径と成し、反対側のローラは小径としたので、待機位置から移動する間に当該移動する側の大径のローラが落込部に引っかかる不都合を防止できるようになる。これにより、商品収納コラムの移動を総じて円滑に行うことができるようになるものである。
【００１０】
請求項３の発明の自動販売機は、商品収納コラムを収納庫内に前後複数列設けると共に、前記収納庫の上部に左右に渡って取り付けられた支持レールに、前列の前記商品収納コラムを左右方向移動自在に吊下して成る自動販売機において、前記前列の商品収納コラムの上端左右両側に設けられ、前記支持レール上を左右方向に転動する複数のローラと、前記支持レールに形成され、前記前列の商品収納コラムが所定の待機位置から移動する側と反対側のローラが、当該商品収納コラムが移動した位置にて少許落ち込む落込部とを備え、落込部を支持レールよりも狭幅と成すと共に、前列の商品収納コラムが所定の待機位置から移動する側のローラを前記落込部よりも幅広としたものである。
【００１１】
請求項３の発明によれば、請求項１および請求項２の発明と同様に、後列の商品収納コラムへの商品充填に支障を来すこと無く、充填作業を円滑に行えるようになり、前列商品収納コラムが移動した位置から待機位置に戻る際の移動を円滑に行うことができるようになり、生産コストの増大も最小限に抑えられる。
これに加えて、前列の商品収納コラムが所定の待機位置から移動する側のローラは大径と成し、反対側のローラは小径としたので、待機位置から移動する間に当該移動する側の大径のローラが落込部に引っかかる不都合を防止できるようになる。これにより、商品収納コラムの移動を総じて円滑に行うことができるようになるものである。
【００１２】
請求項４の発明の自動販売機は、商品収納コラムを収納庫内に前後複数列設けると共に、前記収納庫の上部に左右に渡って取り付けられた支持レールに、前列の前記商品収納コラムを左右方向移動自在に吊下して成る自動販売機において、前記前列の商品収納コラムの上端左右両側に設けられ、前記支持レール上を左右方向に転動する複数のローラと、前記支持レールに形成され、前記前列の商品収納コラムが所定の待機位置から移動する側と反対側のローラが、当該商品収納コラムが移動した位置にて少許落ち込む落込部とを備え、前記支持レールを前後のレール部より構成し、左右両側のローラは前記各レール部上をそれぞれ転動させると共に、前列の商品収納コラムが所定の待機位置から移動する側とは反対側に位置するローラが転動するレール部に、前記落込部を形成したものである。
【００１３】
請求項４の発明によれば、請求項１ないし請求項３の発明と同様に、後列の商品収納コラムへの商品充填に支障を来すこと無く、充填作業を円滑に行えるようになり、前列商品収納コラムが移動した位置から待機位置に戻る際の移動を円滑に行うことができるようになり、生産コストの増大も最小限に抑えられる。
これに加えて、支持レールを前後のレール部より構成し、左右両側のローラは各レール部上をそれぞれ転動させると共に、前列の商品収納コラムが所定の待機位置から移動する側とは反対側に位置するローラが転動するレール部に、落込部を形成したので、待機位置から移動する間に当該移動する側のローラが転動するレール部には落込部が無く、必然的に当該ローラが落込部に落ち込むことも無くなる。これにより、商品収納コラムの移動を総じて円滑に行うことができるようになるものである。
【００１４】
【発明の実施の形態】
以下、図面に基づき本発明の実施形態を詳述する。図１は本発明の自動販売機１の斜視図、図２は自動販売機１の扉２を開放した状態の透視斜視図、図３は扉２を除く自動販売機１の正面図である。
各図において、実施例の自動販売機１はタバコ販売用自販機であり、前面に開口した本体３と、この本体３の前面一側に回動自在（図２中細線矢印）に枢支された扉２とから構成されている。そして、本体３内には商品を収納する収納庫４が形成され、扉２は収納庫４を開閉自在に閉塞するものである。
【００１５】
この扉２の前面上部には、販売する複数種のタバコ見本を陳列する商品見本陳列部６が構成されており、各見本にそれぞれ対応してその下側には商品選択ボタン７・・が取り付けられている。また、商品見本陳列部６の下方には金銭投入口８が設けられると共に、更に下方には商品取出口９が形成されている。
一方、収納庫４内には前後に商品収納コラム１１及び１２が設けられている。この場合、後列の商品収納コラム１２は収納庫４内の左右略全幅に渡って設けられており、内部は複数の仕切板１３・・によって左右に区画され、前面に開放した各区画内には種類毎に商品（タバコ）が積層充填される。
【００１６】
他方、前列の商品収納コラム１１は収納庫４の半分以下の幅で構成されており、内部は同様に仕切板１４・・によって左右に区画され、前面に開放した各区画内には種類毎に商品（タバコ）が積層充填される。また、各商品収納コラム１１、１２の下端には各区画に対応して図示しない商品搬出装置が取り付けられており、顧客による商品選択によって当該区画内の商品を商品取出口９に排出する。また、各商品収納コラム１１、１２には前記商品搬出装置の制御及び給電を行うためのハーネスが本体３との間に接続されている。
【００１７】
また、収納庫４の前上部には支持レール１６が左右に渡って架設されており、前列の商品収納コラム１１はこの支持レール１６に左右方向（図２中太線矢印）移動自在に吊下される。
この場合、支持レール１６は図４に示す如く前後のレール部１７、１８とから構成されており、前側のレール部１７は後方に階段状に降下する形状の長尺鋼板から成り、後端の最下位となる部分をレール面１７Ａとしている。また、後側のレール部１８は後方に階段状に立ち上がる形状の長尺鋼板から成り、前端の最下位となる部分をレール面１８Ａとし、このレール面１８Ａはレール面１７Ａに対向してそれらの間に少許間隔Ｇを形成している。そして、この後側のレール面１８Ａの左右方向の中央から少許左寄りの位置には、約５ｍｍ程の寸法の落込部としての切欠部１９が切欠形成されている。
【００１８】
他方、前列の商品収納コラム１１の上面には吊下部材２１が取り付けられている。この吊下部材２１は鋼板を折曲して構成され、商品収納コラム１１の上端左右に渡っており、その左右両側には上方に起立する腕部２２、２３、２４が折曲形成されている。
この場合、腕部２２は商品収納コラム１１の左端に位置し、腕部２３は当該腕部２２の右側近傍に位置すると共に、腕部２４は商品収納コラム１１の右端に位置している。そして、各腕部２２、２３、２４は前記支持レール１６のレール面１７Ａ、１８Ａ間の間隔Ｇから上方に突出すると共に、各腕部２２、２３、２４の後面には樹脂製のローラ２６、２７、２８がそれぞれ回転自在に取り付けられる。
【００１９】
各ローラ２６、２７、２８は何れも同一の直径（２０ｍｍ〜２５ｍｍ）を有しており、ローラ２６は商品収納コラム１１の上端左側に、ローラ２８は商品収納コラム１１の上端右側にそれぞれ位置すると共に、ローラ２７はローラ２６の右側に近接して設けられる。
また、係る構成により各ローラ２６、２７、２８は後側のレール面１８Ａ上を転動自在とされ、これによって、前列の商品収納コラム１１は支持レール１６に左右方向に移動自在に吊下される。また、係る商品収納コラム１１の右側面には移動用のハンドル３１が取り付けられている。
【００２０】
尚、前列の商品収納コラム１１は図２に示す如く収納庫４内の向かって右側に位置する状態を待機位置（定常状態）としており、この待機位置は本体３に係脱自在に取り付けられる図示しないストッパにて保持される。
更に、この待機状態において商品収納コラム１１の左方にはもう一つの商品収納コラム（図示せず）が取り付けられるが、この商品収納コラムは扉２と同様に回動して前方に引き出し自在とされているものとする。
【００２１】
以上の構成で、各商品収納コラム１１、１２に商品を充填する際には、先ず、扉４を開放する（図２）。そして、前列の商品収納コラム１１への商品充填はそのまま各区画の前方から行う。
次に、後列の商品収納コラム１２に商品を充填する際には、先ず、前述の向かって左側前列の商品収納コラムを回動させて収納庫４外に引き出す。その状態で当該商品収納コラム後方の商品収納コラム１２の区画には商品充填が行える。
【００２２】
そして、商品収納コラム１１後方の商品収納コラム１２の区画に商品を充填する場合には、ハンドル３１などを持って商品収納コラム１１を左方に移動させる。この移動の際、先ずローラ２６がレール面１８Ａの切欠部１９に差しかかるが、ローラ２６には近接してローラ２７が位置して切欠部１９手前のレール面１８Ａに接しているので、ローラ２６が切欠部１９に落ち込むことは無い。従って、商品収納コラム１１の左方への移動は円滑に行える。
【００２３】
次に、ローラ２７が切欠部１９に差しかかるが、同様にローラ２７には近接してローラ２６が位置して切欠部１９より先のレール面１８Ａに接しているので、ローラ２７が切欠部１９に落ち込むことは無い。
そして、商品収納コラム１１が収納庫４の最も左側まで来ると、今度はローラ２８が切欠部１９に至り、その寸法上少許切欠部１９内に落ち込む。係るローラ２８と切欠部１９との係合によって、商品収納コラム１１は収納庫４内左側の移動位置に保持されることになる（図５）。
【００２４】
これによって、後列の商品収納コラム１２（向かって右側の区画）には商品の充填を行えるようになる。特に、商品収納コラム１１は移動位置に保持されているので、自動販売機１の傾斜やハーネスの張力によって引き戻されることが無くなり、商品収納コラム１２への商品充填作業は支障無く、円滑に行えるようになる。特に、レール面１８Ａに切欠部１９を形成することにより商品収納コラム１１の保持を実現できるので、生産コストの増大も最小限に抑えられる。
【００２５】
次に、前列の商品収納コラム１１を待機位置に戻す際には、ハンドル３１を持って右方に引っ張るものであるが（図５中右向き矢印）、このときに商品収納コラム１１に加わる力は、ローラ２６を中心として商品収納コラム１１を反時計回りに回動させる向き、即ち、切欠部１９に落ち込んでいるローラ２８を切欠部１９から引き出す方向（図５中円弧状矢印）のモーメントとなる。従って、ローラ２８は容易に切欠部１９から離脱できるようになり、それによって、商品収納コラム１１の移動を円滑に行えるようになる。
【００２６】
ここで、切欠部１９を図９の如く支持レール１６の左端に形成し、前列の商品収納コラム１１を移動した際、向かって左側のローラ２６を切欠部１９に落ち込ませるようにしても商品収納コラム１１の移動位置における保持は可能となるが、係る構成の場合、当該移動位置から待機位置に戻すために図１０の如くハンドル３１を持って右方に引っ張ると、その際に商品収納コラム１１に加わる力は、ローラ２６を切欠部１９に押し付ける方向のモーメントとなってしまうため（図１０中矢印）、商品収納コラム１１を引き戻す作業が極めて面倒なものとなる。
【００２７】
しかしながら、本発明では待機位置から移動する方向（左方）とは反対側（右側）のローラ２８を切欠部１９に落ち込ませているので、ハンドル３１の操作により前述の如くローラ２８は円滑に切欠部１９より離脱できるようになり、係る不都合は生じないものである。
次に、図６は本発明の他の実施例を示している。この場合、吊下部材２１には左右端の腕部２２、２４のみが形成されており、各腕部２２及び２４の後面にはやはり樹脂製のローラ２６、２８がそれぞれ回転自在に取り付けられるが、左側（商品収納コラム１１が待機位置から移動する側）のローラ２６の直径は大径（例えば４０ｍｍ〜５０ｍｍ）とされ、反対側のローラ２８は前述と同様の小径（２０ｍｍ〜２５ｍｍ）とされている。
【００２８】
係る構成で前列の商品収納コラム１１を待機位置から右方に移動させて行くと、最初にローラ２６が切欠部１９に至るが、ローラ２６は大径とされているので、ローラ２６が切欠部１９内に落ち込むことは無い。従って、ローラ２６が切欠部１９に引っかかる不都合を防止でき、商品収納コラム１１の移動を総じて円滑に行うことができるようになる。尚、他の構成は前述と同様であるので説明を省略する。
【００２９】
次に、図７はもう一つの本発明の他の実施例を示している。この場合も吊下部材２１には左右端の腕部２２、２４のみが形成されており、各腕部２２及び２４の後面にはやはり樹脂製のローラ２６、２８がそれぞれ回転自在に取り付けられるが、左側（商品収納コラム１１が待機位置から移動する側）のローラ２６の幅（厚み）は広く形成されている。
【００３０】
一方、切欠部１９はレール面１８Ａの幅よりも狭く形成されており、係る構成で前列の商品収納コラム１１を待機位置から右方に移動させて行くと、最初にローラ２６が切欠部１９に至るが、ローラ２６は幅広とされ、且つ、切欠部１９も狭幅とされているので、ローラ２６の後端は依然レール面１８Ａに当接し、切欠部１９内に落ち込むことは無い。これにより、商品収納コラム１１の移動を総じて円滑に行うことができるようになる。尚、他の構成は前述と同様であるので説明を省略する。
【００３１】
次に、図８は更にもう一つの本発明の他の実施例を示している。この場合も吊下部材２１には左右端の腕部２２、２４のみが形成されているが、樹脂製のローラ２６は腕部２２の前面に回転自在に取り付けられ、ローラ２８は前述同様に腕部２４の後面に回転自在に取り付けられる。これにより、左側（商品収納コラム１１が待機位置から移動する側）のローラ２６は前側のレール部１７のレール面１７Ａ上を転動し、反対側のローラ２８は前述同様に後側のレール部１８のレール面１８Ａ上を転動することになる。
【００３２】
係る構成によれば、前列の商品収納コラム１１を待機位置から右方に移動させてもローラ２６が転動する前側のレール部１７のレール面１７Ａには切欠部１９が無く、必然的に当該ローラ２６が切欠部１９に落ち込むことも無くなる。これにより、商品収納コラム１１の移動を総じて円滑に行うことができるようになる。
【００３３】
尚、他の構成は前述と同様であるので説明を省略する。また、上記各実施例及び図面では落込部としての切欠部１９をレール面の端面から内方に向けて切欠形成したもので説明したが、レール面に例えば矩形状の孔を切り欠いて切欠部１９を形成しても良い。更に、落込部としては上記の如き切欠部１９の他、当該切欠部１９の周縁部と同等の寸法で上面に開放した凹所などであっても差し支えない。
【００３４】
更にまた、上記各実施例ではタバコ販売用の自動販売機について説明したが、それに限らず、菓子類など各種の商品を販売する自動販売機に本発明が有効であることは云うまでもない。
【００３５】
【発明の効果】
以上詳述した如く請求項１の発明によれば、前列の商品収納コラムの上端左右両側に、支持レール上を左右方向に転動する複数のローラを設けると共に、支持レールには落込部を形成し、前列の商品収納コラムが所定の待機位置から移動する側とは反対側のローラは、当該商品収納コラムが移動した位置にて落込部に少許落ち込むように構成したので、前列の商品収納コラムを待機位置から移動させた際には、落込部とローラとの係合によって当該移動した位置に保持されるようになる。
【００３６】
これによって、後列の商品収納コラムへの商品充填に支障を来すこと無く、充填作業を円滑に行えるようになると共に、移動した位置から待機位置に戻す際には、商品収納コラムに加えた力が落ち込んでいるローラを引き出す方向に作用することになるので、商品収納コラムの移動を円滑に行うことができるようになる。
【００３７】
また、支持レールに落込部を形成することにより実現できるので、生産コストの増大も最小限に抑えられるものである。
さらに、上記に加えて前列の商品収納コラムが待機位置から移動する側には、左右に近接して少なくとも二個のローラを設けたので、待機位置から移動する間に当該移動する側のローラが落込部に落ち込むことが無くなる。これにより、商品収納コラムの移動を総じて円滑に行うことができるようになるものである。
【００３８】
請求項２の発明によれば、請求項１の発明と同様に、後列の商品収納コラムへの商品充填に支障を来すこと無く、充填作業を円滑に行えるようになり、前列商品収納コラムが移動した位置から待機位置に戻る際の移動を円滑に行うことができるようになり、生産コストの増大も最小限に抑えられる。
これに加えて、前列の商品収納コラムが所定の待機位置から移動する側のローラは大径と成し、反対側のローラは小径としたので、待機位置から移動する間に当該移動する側の大径のローラが落込部に引っかかる不都合を防止できるようになる。これにより、商品収納コラムの移動を総じて円滑に行うことができるようになるものである。
【００３９】
請求項３の発明によれば、請求項１および請求項２の発明と同様に、後列の商品収納コラムへの商品充填に支障を来すこと無く、充填作業を円滑に行えるようになり、前列商品収納コラムが移動した位置から待機位置に戻る際の移動を円滑に行うことができるようになり、生産コストの増大も最小限に抑えられる。
これに加えて、落込部を支持レールよりも狭幅と成すと共に、前列の商品収納コラムが所定の待機位置から移動する側のローラを落込部よりも幅広としたので、待機位置から移動する間に当該移動する側の幅広のローラが落込部に落ち込むことが無くなる。これにより、商品収納コラムの移動を総じて円滑に行うことができるようになるものである。
【００４０】
請求項４の発明によれば、請求項１ないし請求項３の発明と同様に、後列の商品収納コラムへの商品充填に支障を来すこと無く、充填作業を円滑に行えるようになり、前列商品収納コラムが移動した位置から待機位置に戻る際の移動を円滑に行うことができるようになり、生産コストの増大も最小限に抑えられる。
これに加えて、支持レールを前後のレール部より構成し、左右両側のローラは各レール部上をそれぞれ転動させると共に、前列の商品収納コラムが所定の待機位置から移動する側とは反対側に位置するローラが転動するレール部に、落込部を形成したので、待機位置から移動する間に当該移動する側のローラが転動するレール部には落込部が無く、必然的に当該ローラが落込部に落ち込むことも無くなる。これにより、商品収納コラムの移動を総じて円滑に行うことができるようになるものである。
【図面の簡単な説明】
【図１】本発明の実施例の自動販売機の斜視図である。
【図２】扉を開いた状態の本発明の実施例の自動販売機の透視斜視図である。
【図３】扉を除く本発明の実施例の自動販売機の正面図である。
【図４】本発明の実施例の自動販売機の前列の商品収納コラムと支持レールの斜視図である。
【図５】前列の商品収納コラムを移動した状態の扉を除く本発明の実施例の自動販売機の正面図である。
【図６】本発明の他の実施例の自動販売機の前列の商品収納コラムと支持レールの斜視図である。
【図７】本発明のもう一つの他の実施例の自動販売機の前列の商品収納コラムと支持レールの斜視図である。
【図８】本発明の更にもう一つの他の実施例の自動販売機の前列の商品収納コラムと支持レールの斜視図である。
【図９】問題点を有した自動販売機の扉を除く正面図である。
【図１０】図９の自動販売機の前列の商品収納コラムを移動した状態の図である。
【符号の説明】
１  自動販売機
４  収納庫
１１、１２  商品収納コラム
１６  支持レール
１７、１８  レール部
１７Ａ、１８Ａ  レール面
１９  切欠部（落込部）
２１  吊下部材
２２、２３、２４  腕部
２６、２７、２８  ローラ
【図１】
0003582244.tif 000002
【図２】
0003582244.tif 000003
【図３】
0003582244.tif 000004
【図４】
0003582244.tif 000005
【図５】
0003582244.tif 000006
【図６】
0003582244.tif 000007
【図７】
0003582244.tif 000008
【図８】
0003582244.tif 000009
【図９】
0003582244.tif 000010
【図１０】
0003582244.tif 000011